(57)【要約】【課題】Ｔ.３８通信機能による画像通信装置において、ＩＦＰパケットの階層、Ｔ．３０コマンドや画像情報の階層でそれぞれビット送出順序が異なる対向機が存在する環境においても正しい画像通信が可能な画像通信装置を提供する。【解決手段】Ｔ．３８ＩＦＰパケット制御部１１１で制御されるＩＦＰパケットおよび画像通信制御部１０９で制御されるＴ．３０コマンド／画情報に対応してそれぞれのビット送出／解析順序を装置設定情報３２０として予め設定しておき、この装置設定情報３２０を参照してＴ．３８ＩＦＰパケット制御部１１１で制御されるＩＦＰパケットおよび画像通信制御部１０９で制御されるＴ．３０コマンド／画情報の送出／解析順序をそれぞれ制御する。【選択図】図１
2010263320.tif 000002
【特許請求の範囲】
【請求項１】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を具備し、
前記パケット制御部は、
前記ＩＦＰパケット、前記Ｔ.３０コマンドおよび画情報に対応するそれぞれのビット送出および解析順序を示す順序情報を設定する設定手段と、
前記設定手段に設定された順序情報に基づき前記ＩＦＰパケット、前記Ｔ.３０コマンドおよび画情報のビット送出および解析順序をそれぞれ制御する制御手段と
を具備する画像通信装置。
【請求項２】
ＳＩＰメッセージを用いて相手先とセッションを確立する呼接続制御手段と、
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を具備し、
前記呼接続制御手段は、
呼接続時に発信側から着信側に送信される招待ＳＩＰメッセージに発信側装置の製造元情報を設定するとともに、前記招待ＳＩＰメッセージに応答して着信側から発信側に送信される応答ＳＩＰメッセージに着信側装置の製造元情報を設定し、
前記パケット制御部は、
前記製造元情報に対応して前記ＩＦＰパケット、前記Ｔ.３０コマンドおよび画情報に対応するそれぞれのビット送出および解析順序を示す順序情報を設定する設定手段
を具備し、
前記発信側装置では、前記設定手段に前記着信側装置の製造元情報に対応して設定された順序情報に基づき前記ＩＦＰパケット、前記Ｔ.３０コマンドおよび画情報のビット送出および解析順序をそれぞれ制御し、
前記着信装置側では、前記設定手段に前記発信側装置の製造元情報に対応して設定された前記順序情報に基づき前記ＩＦＰパケット、前記Ｔ.３０コマンドおよび画情報のビット送出および解析順序をそれぞれ制御する画像通信装置。
【請求項３】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を具備し、
前記パケット制御部は、
呼接続に用いる短縮番号に対応して前記ＩＦＰパケット、前記Ｔ.３０コマンドおよび画情報に対応するそれぞれのビット送出および解析順序を示す順序情報を設定する設定手段と、
前記短縮番号に対応して前記設定手段に設定された前記順序情報に基づき前記ＩＦＰパケット、前記Ｔ.３０コマンドおよび画情報のビット送出および解析順序をそれぞれ制御する制御手段と
を具備する画像通信装置。
【請求項４】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を具備し、
前記パケット制御部は、
発信側装置に対応して前記ＩＦＰパケット、前記Ｔ.３０コマンドおよび画情報に対応するそれぞれのビット送出順序および解析順序を別々に示す第１の順序情報を設定する第１の設定手段と、
着信側装置に対応して前記ＩＦＰパケット、前記Ｔ.３０コマンドおよび画情報に対応するそれぞれのビット送出順序および解析順序を別々に示す第２の順序情報を設定する第２の設定手段と
を具備し、
前記発信側装置では、前記第１の設定手段に設定された前記第１の順序情報に基づき前記ＩＦＰパケット、前記Ｔ.３０コマンドおよび画情報のビット送出および解析順序をそれぞれ別々に制御し、
前記着信側装置では、前記第２の設定手段により設定された前記第２の順序情報に基づき前記ＩＦＰパケット、前記Ｔ.３０コマンドおよび画情報のビット送出および解析順序をそれぞれ別々に制御する画像通信装置。
【請求項５】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を具備し、
前記パケット制御部は、
前記ＩＦＰパケット、前記Ｔ.３０コマンドおよび画情報に対応するそれぞれのビット送出および解析順序を示す第１の順序情報を設定する第１の設定手段と、
着信側装置に対応して前記ＩＦＰパケット、前記Ｔ.３０コマンドおよび画情報に対応するそれぞれのビット送出順序を示す第２の順序情報を設定する第２の設定手段と
を具備し、
パケット送出時は、前記第１の設定手段に設定された前記第１の順序情報に基づき前記ＩＦＰパケット、前記Ｔ.３０コマンドおよび画情報のビット送出を制御し、
パケット受信時は、前記第２の設定手段により設定された前記第２の順序情報に基づき前記ＩＦＰパケット、前記Ｔ.３０コマンドおよび画情報のビット解析順序を制御する画像通信装置。
【請求項６】
ＳＩＰメッセージを用いて相手先とセッションを確立する呼接続制御手段と、
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を具備し、
前記呼接即制御手段は、
呼接続時に発信側から着信側に送信される招待ＳＩＰメッセージに発信側装置の製造元情報を設定するとともに、前記招待ＳＩＰメッセージに応答して着信側から発信側に送信される応答ＳＩＰメッセージに着信側装置の製造元情報を設定し、
前記パケット制御部は、
前記製造元情報に対応して前記ＩＦＰパケット、前記ＩＦＰＴ.３０コマンドおよび画情報に対応するそれぞれのビット送出および解析順序を示す第１の順序情報を設定する第１の設定手段と、
着信時の前記ＩＦＰパケット、前記Ｔ.３０コマンドおよび画情報に対応するそれぞれのビット送出および解析順序を示す第２の順序情報を設定する第２の設定手段と
を具備し、
発信時は、前記第１の設定手段に前記着信側装置の製造元情報に対応して設定された前記第１の順序情報に基づき前記ＩＦＰパケット、前記Ｔ.３０コマンドおよび画情報のビット送出および解析順序をそれぞれ制御し、
着信時は、前記設定手段に設定された前記第２の順序情報に基づき前記ＩＦＰパケット、前記Ｔ.３０コマンドおよび画情報のビット送出および解析順序をそれぞれ制御する画像通信装置。
【請求項７】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を具備し、
前記パケット制御部は、
前記Ｔ.３８通信機能による呼接続応答信号を受信した後、発信側で前記Ｔ.３０コマンドが一定時間受信できない場合は、呼切断した後、相手機に再発信し、前記Ｔ.３０コマンドおよび画情報のビット送出および解析順序を反転してＴ.３０コマンドおよび画情報の送出および解析を行う画像通信装置。
【請求項８】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を具備し、
前記パケット制御部は、
前記Ｔ.３８通信機能による呼接続が正常に完了した後、発信側で呼接続応答コマンドが一定時間受信できない場合は、呼切断下後、相手機に再発信し、前記ＩＦＰパケットのビット送出および解析順序を反転してＩＦＰパケットの送出および解析を行う画像通信装置。
【請求項９】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を具備し、
前記パケット制御部は、
前記Ｔ.３８通信機能による呼接続が正常に完了した後、前記Ｔ.３０コマンドが着信側で一定時間受信できない場合は、呼切断した後、相手機からの再着信を待って、前記Ｔ.３０コマンドおよび画情報のビット送出順序および解析順序を反転してＴ.３０コマンドの送出および画情報の解析を行う画像通信装置。
【発明の詳細な説明】
【技術分野】
【０００１】
本発明は、画像通信装置に関する。
【背景技術】
【０００２】
従来、Ｔ.３８通信機能による画像通信を行う画像通信装置としては、特許文献１に記載されたものが知られている。
【０００３】
また、特許文献２には、ＬＡＮ(Local Area Network)通信におけるアドレスのビット送出順序を他方のＬＡＮのビット定義に合せて変更可能な構成が記載されている。
【０００４】
ところで、Ｔ.３８通信機能による画像通信は、ＩＦＰ(Internet Facsimili Protocol)パケットの送受により行われており、このＩＦＰパケットには、Ｔ．３０に準拠するＧ３ファクシミリ信号に対応した情報を運ぶためのフィールドが定義され、このＩＦＰパケットの所定のフィールドにＴ．３０に準拠するＧ３ファクシミリ信号に対応した情報（Ｔ．３０コマンドや画情報）を記述することにより画像通信がなされる。
【０００５】
例えば、ＳＩＰ(Session Initiation Protocol)を用いて相手先とセッションを確立して、Ｔ.３８通信機能による画像通信を行う画像通信装置においては、ＬＡＮ通信におけるＩＰ（Internet Protocol）の階層に加えて、ＩＦＰパケットの階層、Ｔ．３０コマンドや画情報の階層があり、発信側と着信側とでＩＰの階層でのビット送出順序は一致しても、ＩＦＰパケットやＩＦＰパケットに記述されたＴ．３０コマンドや画情報のビット送出順序が不一致の相手機とは正しく画像通信を行うことができない。
【先行技術文献】
【特許文献】
【０００６】
【特許文献１】特開２００６−１５７１２０号公報
【特許文献２】特開平０３-１３２２３号公報
【発明の概要】
【発明が解決しようとする課題】
【０００７】
本発明は、Ｔ.３８通信機能による画像通信装置において、ＩＦＰパケットの階層、Ｔ．３０コマンドや画像情報の階層でそれぞれビット送出順序が異なる対向機が存在する環境においても正しい画像通信が可能な画像通信装置を提供することを目的とする。
【課題を解決するための手段】
【０００８】
上記目的を達成するため、請求項１の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを具備し、前記パケット制御部は、前記ＩＦＰパケット、前記Ｔ.３０コマンドおよび画情報に対応するそれぞれのビット送出および解析順序を示す順序情報を設定する設定手段と、前記設定手段に設定された順序情報に基づき前記ＩＦＰパケット、前記Ｔ.３０コマンドおよび画情報のビット送出および解析順序をそれぞれ制御する制御手段とを具備する。
【０００９】
請求項２の発明の画像通信装置は、ＳＩＰメッセージを用いて相手先とセッションを確立する呼接続制御手段と、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを具備し、前記呼接続制御手段は、呼接続時に発信側から着信側に送信される招待ＳＩＰメッセージに発信側装置の製造元情報を記述するとともに、前記招待ＳＩＰメッセージに応答して着信側から発信側に送信される応答ＳＩＰメッセージに着信側装置の製造元情報を記述し、前記パケット制御部は、前記製造元情報に対応して前記ＩＦＰパケット、前記Ｔ.３０コマンドおよび画情報に対応するそれぞれのビット送出および解析順序を示す順序情報を設定する設定手段を具備し、前記発信側装置では、前記設定手段に前記着信側装置の製造元情報に対応して設定された順序情報に基づき前記ＩＦＰパケット、前記Ｔ.３０コマンドおよび画情報のビット送出および解析順序をそれぞれ制御し、前記着信装置側では、前記設定手段に前記発信側装置の製造元情報に対応して設定された前記順序情報に基づき前記ＩＦＰパケット、前記Ｔ.３０コマンドおよび前記画情報のビット送出および解析順序をそれぞれ制御する。
【００１０】
請求項３の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを具備し、前記パケット制御部は、呼接続に用いる短縮番号に対応して前記ＩＦＰパケット、前記Ｔ.３０コマンドおよび画情報に対応するそれぞれのビット送出および解析順序を示す順序情報を設定する設定手段と、前記短縮番号に対応して前記設定手段に設定された前記順序情報に基づき前記ＩＦＰパケット、前記Ｔ.３０コマンドおよび画情報のビット送出および解析順序をそれぞれ制御する制御手段とを具備する。
【００１１】
請求項４の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを具備し、前記パケット制御部は、発信側装置に対応して前記ＩＦＰパケット、前記Ｔ.３０コマンドおよび画情報に対応するそれぞれのビット送出順序および解析順序を別々に示す第１の順序情報を設定する第１の設定手段と、着信側装置に対応して前記ＩＦＰパケット、前記Ｔ.３０コマンドおよび画情報に対応するそれぞれのビット送出順序および解析順序を別々に示す第２の順序情報を設定する第２の設定手段とを具備し、前記発信側装置では、前記第１の設定手段に設定された前記第１の順序情報に基づき前記ＩＦＰパケット、前記Ｔ.３０コマンドおよび画情報のビット送出および解析順序をそれぞれ別々に制御し、前記着信側装置では、前記第２の設定手段により設定された前記第２の順序情報に基づき前記ＩＦＰパケット、前記Ｔ.３０コマンドおよび画情報のビット送出および解析順序をそれぞれ別々に制御する。
【００１２】
請求項５の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを具備し、前記パケット制御部は、前記ＩＦＰパケット、前記Ｔ.３０コマンドおよび画情報に対応するそれぞれのビット送出および解析順序を示す第１の順序情報を設定する第１の設定手段と、着信側装置に対応して前記ＩＦＰパケット、前記Ｔ.３０コマンドおよび画情報に対応するそれぞれのビット送出順序を示す第２の順序情報を設定する第２の設定手段とを具備し、パケット送出時は、前記第１の設定手段に設定された前記第１の順序情報に基づき前記ＩＦＰパケット、前記Ｔ.３０コマンドおよび画情報のビット送出を制御し、パケット受信時は、前記第２の設定手段により設定された前記第２の順序情報に基づき前記ＩＦＰパケット、前記Ｔ.３０コマンドおよび画情報のビット解析順序を制御する。
【００１３】
請求項６の発明の画像通信装置は、ＳＩＰメッセージを用いて相手先とセッションを確立する呼接続制御手段と、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを具備し、前記呼接即制御手段は、呼接続時に発信側から着信側に送信される招待ＳＩＰメッセージに発信側装置の製造元情報を記述するとともに、前記招待ＳＩＰメッセージに応答して着信側から発信側に送信される応答ＳＩＰメッセージに着信側装置の製造元情報を記述し、前記パケット制御部は、前記製造元情報に対応して前記ＩＦＰパケット、前記ＩＦＰＴ.３０コマンドおよび画情報に対応するそれぞれのビット送出および解析順序を示す第１の順序情報を設定する設定手段と、着信時の前記ＩＦＰパケット、前記Ｔ.３０コマンドおよび画情報に対応するそれぞれのビット送出および解析順序を示す第２の順序情報を設定する第２の設定手段とを具備し、発信時は、前記設定手段に前記着信側装置の製造元情報に対応して設定された前記第１の順序情報に基づき前記ＩＦＰパケット、前記Ｔ.３０コマンドおよび画情報のビット送出および解析順序をそれぞれ制御し、着信時は、前記設定手段に設定された前記第２の順序情報に基づき前記ＩＦＰパケット、前記Ｔ.３０コマンドおよび画情報のビット送出順序および解析順序をそれぞれ制御する。
【００１４】
請求項７の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを具備し、前記パケット制御部は、前記Ｔ.３８通信機能による呼接続応答信号を受信した後、発信側で前記Ｔ.３０コマンドが一定時間受信できない場合は、呼切断した後、相手機に再発信し、前記Ｔ.３０コマンドおよび画情報のビット送出および解析順序を反転してＴ.３０コマンドおよび画情報の送出および解析を行う。
【００１５】
請求項８の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを具備し、前記パケット制御部は、前記Ｔ.３８通信機能による呼接続が正常に完了した後、発信側で呼接続応答コマンドが一定時間受信できない場合は、呼切断下後、相手機に再発信し、前記ＩＦＰパケットのビット送出および解析順序を反転してＩＦＰパケットの送出および解析を行う。
【００１６】
請求項９の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを具備し、前記パケット制御部は、前記Ｔ.３８通信機能による呼接続が正常に完了した後、前記Ｔ.３０コマンドが着信側で一定時間受信できない場合は、呼切断した後、相手機からの再着信を待って、前記Ｔ.３０コマンドおよび前記画情報のビット送出順序および解析順序を反転してＴ.３０コマンドの送出および画情報の解析を行う。
【発明の効果】
【００１７】
請求項１の発明によれば、ＩＦＰパケットの階層、Ｔ．３０コマンドや画像情報の階層でそれぞれビット送出順序が異なる対向機が存在する環境においても正しい画像通信が可能になる。
【００１８】
請求項２の発明によれば、呼接続に用いるＳＩＰメッセージに記述された機種コードから相手機のＩＦＰパケット、Ｔ.３０コマンドおよび画情報の送出順序を知ることができるので、ＩＦＰパケットの階層、Ｔ．３０コマンドや画像情報の階層でそれぞれビット送出順序が異なる対向機が存在する環境においても正しい画像通信が可能になる。
【００１９】
請求項３の発明によれば、呼接続に用いる短縮番号から相手機のＩＦＰパケット、Ｔ.３０コマンドおよび画情報の送出順序を知ることができるので、ＩＦＰパケットの階層、Ｔ．３０コマンドや画像情報の階層でそれぞれビット送出順序が異なる対向機が存在する環境においても正しい画像通信が可能になる。
【００２０】
請求項４の発明によれば、発信側装置および着信側装置に対応してＩＦＰパケット、Ｔ.３０コマンドおよび画情報の送出順序および解析順序をそれぞれ別々に設定することで、ＩＦＰパケットの階層、Ｔ．３０コマンドや画像情報の階層でそれぞれビット送出順序が異なる対向機が存在する環境においても正しい画像通信が可能になる。
【００２１】
請求項５の発明によれば、発信側装置に対応して発信時のＩＦＰパケット、Ｔ.３０コマンドおよび画情報の送出および解析順序を設定するとともに、着信側装置に対応してＩＦＰパケット、Ｔ.３０コマンドおよび画情報の送出順序および解析順序をそれぞれ別々に設定することで、ＩＦＰパケットの階層、Ｔ．３０コマンドや画像情報の階層でそれぞれビット送出順序が異なる対向機が存在する環境においても正しい画像通信が可能になる。
【００２２】
請求項６の発明によれば、呼接続に用いるＳＩＰメッセージに記述された機種コードから相手機のＩＦＰパケット、Ｔ.３０コマンドおよび画情報の送出順序を知り、着信時は、自機に設定されたＩＦＰパケット、ＩＦＰパケットに記述したＴ.３０コマンドおよび画情報の送出および解析順序を用いることで、ＩＦＰパケットの階層、Ｔ．３０コマンドや画像情報の階層でそれぞれビット送出順序が異なる対向機が存在する環境においても正しい画像通信が可能になる。
【００２３】
請求項７の発明によれば、発信側装置において、着信側装置のＩＦＰパケット、ＩＦＰパケットに記述したＴ.３０コマンドおよび画情報の送出順序を知らない場合でも正しい画像通信が可能になる。
【００２４】
請求項８の発明によれば、発信側装置において、着信側装置のＩＦＰパケット、ＩＦＰパケットに記述したＴ.３０コマンドおよび画情報の送出順序を知らない場合でも正しい画像通信が可能になる。
【００２５】
請求項９の発明によれば、着信側装置において、発信側装置のＩＦＰパケット、ＩＦＰパケットに記述したＴ.３０コマンドおよび画情報の送出順序を知らない場合でも正しい画像通信が可能になる。
【図面の簡単な説明】
【００２６】
【図１】図１は、本発明に係わる画像通信装置の概略構成を示すブロック図である。
【図２】図２は、ＩＦＰパケットの階層、Ｔ．３０コマンドや画像情報の階層でそれぞれビット送出順序が異なる対向機が存在する環境において、正しい画像通信を可能にするためのビット送出順序および解析順序を説明する図である。
【図３】図３は、本発明の実施例１に係わる画像通信制御を説明するフローチャートである。
【図４】図４は、本発明の実施例２に係わる画像通信制御を説明するフローチャートである。
【図５】図５は、本発明の実施例３に係わる画像通信制御を説明するフローチャートである。
【図６】図６は、本発明の実施例４に係わる画像通信制御を説明するフローチャートである。
【図７】図７は、本発明の実施例５に係わる画像通信制御を説明するフローチャートである。
【図８】図８は、本発明の実施例６に係わる画像通信制御を説明するフローチャートである。
【図９】図９は、本発明の実施例７に係わる画像通信制御を説明するフローチャートである。
【図１０】図１０は、本発明の実施例８に係わる画像通信制御を説明するフローチャートである。
【図１１】図１１は、本発明の実施例９に係わる画像通信制御を説明するフローチャートである。
【発明を実施するための形態】
【００２７】
以下、本発明の一実施例を添付図面を参照して詳細に説明する。
【実施例１】
【００２８】
図１は、本発明に係わる画像通信装置の概略構成を示すブロック図である。この画像通信装置１００は、主制御部１０１、画像蓄積部１０２、画像読取部１０３、印刷部１０４、操作部１０５、記憶部１０６、画像処理部１０７、呼接続制御部１０８、画像通信制御部１０９をバス１１０に接続し、呼接続制御部１０８を画像通信制御部１０９をＴＣＰ/ＵＤＰ/ＩＰ制御部１１２を介してネットワークインターフェイス部１１３に接続するとともに、画像通信制御部１０９をＴ．３８ＩＦＰパケット制御部１１１を介してＴＣＰ/ＵＤＰ/ＩＰ制御部１１２に接続して構成される。
【００２９】
ここで、主制御部１０１は、画像通信装置１００の全体の制御処理を行うものである。
【００３０】
画像蓄積部１０２は、画像読取部１０３から読み込まれた画像または受信した画像を蓄積する。
【００３１】
画像読取部１０３は、所定の解像度で原稿画像を読み込み、印刷部１０４は、所定の解像度で画像を印刷する。
【００３２】
操作部１０５は、画像通信装置１００を操作する各種の操作キーおよび各種情報を表示する表示部を有する。
【００３３】
記憶部１０６は、ＲＡＭ(Random Access Memory)から構成され、画像通信装置１００の動作を制御するシステムデータおよび通信情報等を記憶する。
【００３４】
画像処理部１０７は、画像データに対する符号化、復号化、拡大、縮小等の処理を行う。
【００３５】
呼接続制御部１０８は、ＳＩＰによる呼接続を制御する。ＳＩＰにより提供される制御機能の具体例としては、位置情報の登録、セッションの確立・切断、能力のネゴシエーション、プレゼンス情報交換などがある。
【００３６】
画像通信制御部１０９は、画像通信を実現するもので、ＩＴＵ（国際電気通信連合）−Ｔ．３０プロトコルを制御する。
【００３７】
Ｔ．３８ＩＦＰパケット制御部１１１は、ＩＴＵ−Ｔ．３８に準拠したＩＦＰパケット層のプロトコルを制御する。
【００３８】
ＴＣＰ／ＵＤＰ／ＩＰ制御部１１２は、インターネットのトランスポート／ネットワーク層のプロトコル制御を行う。ネットワークインタ−フェース部１１３は、ＩＰ網に接続され、データリンク層以下の通信制御を行う。
【００３９】
図２は、ＩＦＰパケットの階層、Ｔ．３０コマンドや画像情報の階層でそれぞれビット送出順序が異なる対向機が存在する環境において、正しい画像通信を可能にするためのビット送出順序および解析順序を説明する図である。
【００４０】
Ｔ．３８による画像通信で使用するパケットの構成を示すと、図２（ａ）のようになる。
【００４１】
Ｔ．３８による画像通信では、ＩＦＰパケットに定義されたフィールドにＴ．３０に準拠したＴ．３０コマンドや画情報を記述されるので、Ｔ．３８による画像通信では、図２（ａ）に示すように、ＩＰアドレス２０１、ＩＦＰパケット２０２、Ｔ．３０コマンドまたは画情報２０３の階層がある。
【００４２】
ここで、パケットを受信する側では、全ての階層において、送信機側が送出したビット順序通りにビットの解析を行わなければ、受信したＴ．３０コマンドを正しく解釈することができず、また、受信した画情報を正しく復号化することもできない。
【００４３】
例えば、Ｔ．３０コマンド２０３をＬＳＢ Firstで送出（下位ビットから送出）し、上位階層のＩＦＰパケット２０２とＩＰアドレス２０１をＭＳＢ Firstで送出（上位ビットから送出）する送信機のコマンドを正しく解析するためには、図２（ｂ）に示すように、ＩＦＰパケットとＩＰアドレスはＭＳＢ Firstで解析（上位ビットから解釈）し、Ｔ．３０コマンドのみＬＳＢ Firstで解析（下位ビットから解釈）する必要がある。
【００４４】
また、ＩＰアドレスなどはＭＳＢ Firstで送出するが、ＩＦＰパケットとＴ．３０コマンドはＬＳＢ Firstで送出する送信機の存在も否定できず、その場合は、ＩＰアドレスはＭＳＢ Firstで、ＩＦＰパケットとＴ．３０コマンドはＬＳＢ Firstで解析する必要がある。
【００４５】
そこで、ＩＦＰパケットの階層、Ｔ．３０コマンドや画像情報の階層でそれぞれビット送出順序が異なる対向機が存在する環境においても正しい画像通信が可能な画像通信を可能にするためには、ＩＦＰパケットの階層、Ｔ．３０コマンドや画像情報の階層についてビット送出/解析順序を設定可能にする必要がある。
【００４６】
図３は、本発明の実施例１に係わる画像通信制御（ＦＡＸ通信制御）を説明するフローチャートである。
【００４７】
この実施例１に係わる画像通信制御においては、ＩＦＰパケットおよびＴ．３０コマンド／画情報に対応してそれぞれのビット送出／解析順序を装置設定情報３２０として予め設定しておき、この装置設定情報３２０を参照してＩＦＰパケットおよびＴ．３０コマンド／画情報の送出／解析順序をそれぞれ制御する。
【００４８】
図３においては、ＳＩＰメッセージを用いて呼接続を行う。すなわち、発信装置では、呼接続に際して、招待ＳＩＰメッセージである「ＩＮＶＩＴＥ」を着信側装置に送出する（ステップ３０１）。
【００４９】
着信側装置は、発信側装置から「ＩＮＶＩＴＥ」を受信すると（ステップ３１１）、発信側装置に対して「ＩＮＶＩＴＥ」に対する応答ＳＩＰメッセージである「２００  ＯＫ」を送信する（ステップ３１２）。
【００５０】
発信側装置は、着信側装置から「２００  ＯＫ」を受信すると、着信側装置との間の呼接続を行い（ステップ３０２）、次に、Ｔ．３８に準拠した画像通信が可能かを判断する（ステップ３０３）。ここで、着信側装置との間との間で、Ｔ．３８に準拠した画像通信が可能であると判断されると（ステップ３０３でＹＥＳ）、予め設定された装置設定情報３２０を参照して、ビット送出／解析順序を決定する（ステップ３０４）。
【００５１】
図３に示した構成においては、装置設定情報３２０として、ＩＦＰパケットは、ＭＳＢ First（上位ビットから送出／解析）、Ｔ．３０コマンド／画情報は、ＬＳＢ First（下位ビットから送出／解析）が設定されているので、ステップ３０４では、ＩＦＰパケットについては、上位ビットから送出して上位ビットから解析すると決定し、Ｔ．３０コマンド／画情報については、下位ビットから送出して下位ビットから解析すると決定する。
【００５２】
具体的には、図３の３３１〜３３４に示しように、ＩＦＰパケット部分である「ＣＥＤ：０３０００００５０４」３３１、「Ｐｒｅａｍｂｌｅ：０３０００００５０６」３３２、Ｔ．コマンド部分である「ｆｆ１３８０００ｅｅａａｃ４・・・」３３４を除く「ＤＩＳ：０３００００１ｃｃ００２８０００１１「ｆｆ１３８０００ｅｅａａｃ４・・・」４０」３３３は、上位ビットから送出して上位ビットから解析すると決定し、Ｔ．３０コマンド部分である「ｆｆ１３８０００ｅｅａａｃ４・・・」３３４は、下位ビットから送出して下位ビットから解析すると決定する。
【００５３】
また、着信側装置では、「２００  ＯＫ」を送信すると、次に、Ｔ．３８に準拠した画像通信が可能かを判断する（ステップ３１３）。ここで、発信側装置との間との間で、Ｔ．３８に準拠した画像通信が可能であると判断されると（ステップ３１３でＹＥＳ）、装置設定情報３２０を参照して、ビット送出／解析順序を決定する（ステップ３１４）。
【００５４】
ここでも、装置設定情報３２０として、ＩＦＰパケットは、ＭＳＢ First（上位ビットから送出／解析）、Ｔ．３０コマンド／画情報は、ＬＳＢ First（下位ビットから送出／解析）が設定されているので、着信側装置のステップ３１４では、ＩＦＰパケットについては、上位ビットから送出して上位ビットから解析すると決定し、Ｔ．３０コマンド／画情報については、下位ビットから送出して下位ビットから解析すると決定する。
【００５５】
これにより、発信側装置と着信側装置では、全ての階層に対してビット送出順序と解析順序が一致するようになる。
【００５６】
その後、発信側装置は、Ｔ．３８ポートにて着信側装置とＴ．３８に準じたＦＡＸ通信を実施する（ステップ３０５）。
【００５７】
同様に、着信側装置でも、Ｔ．３８ポートにて発信側装置とＴ．３８に準じたＦＡＸ通信を実施する（ステップ３１５）。
【００５８】
そして、ＦＡＸ通信の終了等により発信側装置で呼切断する場合は、発信側装置から着信側装置にＢＹＥ（セッション切断要求）を送信してＳＩＰ呼切断を行って（ステップ３０６）、この処理を終了する。
【００５９】
また、着信側装置は、発信側装置からＢＹＥ（セッション切断要求）を受信するとＳＩＰ呼切断を行って（ステップ３１６）、この処理を終了する。
【００６０】
なお、ステップ３０３でＴ．３８に準拠した画像通信が不可であると判断された場合は（ステップ３０３でＮＯ）、ステップ３０６に進み、ＳＩＰ呼切断を行う。また、ステップ３１３でＴ．３８に準拠した画像通信が不可であると判断された場合は（ステップ３１３でＮＯ）、ステップ３１６に進み、ＳＩＰ呼切断を行う。
【実施例２】
【００６１】
図４は、本発明の実施例２に係わる画像通信制御（ＦＡＸ通信制御）を説明するフローチャートである。
【００６２】
この実施例２に係わる画像通信制御においては、呼接続に用いるＳＩＰメッセージに発信側装置および着信側装置のそれぞれの製造元情報を設定するとともに、製造元情報に対応して、ＩＦＰパケットおよびＴ．３０コマンド／画情報のそれぞれのビット送出／解析順序をメーカ別装置設定情報４２０として予め設定しておき、このメーカ別装置設定情報４２０を参照して発信側装置と着信側装置でＩＦＰパケットおよびＴ．３０コマンド／画情報の送出／解析順序が一致するようにそれぞれ制御する。
【００６３】
なお、ＳＩＰメッセージに対する製造元情報の設定は、ＳＩＰメッセージのＳＤＰ(Session Description Protocol)若しくはT.38 VendorInfoに、製造元情報を記述することにより行われる。
【００６４】
図４に示す実施例２においては、呼接続に際して、発信装置は、招待ＳＩＰメッセージ「ＩＮＶＩＴＥ」を送出する（ステップ４０１）。このとき、「ＩＮＶＩＴＥ」の「T.38 VendorInfo」に、自社（発信側装置）の製造元情報（自社コード）を記述する。
【００６５】
着信側装置は、発信側装置から「ＩＮＶＩＴＥ」を受信すると（ステップ４１１）、「ＩＮＶＩＴＥ」の「T.38 VendorInfo」を解析して、「T.38 VendorInfo」に記述された自社コードから発信側装置のメーカ（相手メーカ）を特定する。
【００６６】
そして、着信側装置は、発信側装置に対して「ＩＮＶＩＴＥ」に対する応答ＳＩＰメッセージ「２００  ＯＫ」を送信する（ステップ４１２）。このとき、「２００  ＯＫ」の「T.38 VendorInfo」に、自社（着信側装置）の製造元情報（自社コード）を記述する。
【００６７】
発信側装置は、着信側装置から「２００  ＯＫ」を受信すると、着信側装置との間の呼接続を行う（ステップ４０２）。このとき、発信側装置は、「２００  ＯＫ」の「T.38 VendorInfo」を解析して、「T.38 VendorInfo」に記述された自社コードから着信側装置のメーカを特定する。
【００６８】
発信側装置では、次に、Ｔ．３８に準拠した画像通信が可能かを判断する（ステップ４０３）。ここで、着信側装置との間との間で、Ｔ．３８に準拠した画像通信が可能であると判断されると（ステップ４０３でＹＥＳ）、ステップ４０２で特定した着信側装置のメーカに基づきメーカ別装置設定情報４２０を参照して、ビット送出／解析順序を決定する（ステップ４０４）。
【００６９】
なお、図４に示した構成においては、メーカ別装置設定情報４２０として、Ａ社（自社コード９１）には、ＩＦＰパケットのビット送出／解析順序として、ＭＳＢ First（上位ビットから送出／解析）、Ｔ．３０コマンド／画情報のビット送出／解析順序として、ＭＳＢ First（上位ビットから送出／解析）が設定されており、同様に、Ｂ社（自社コード９２）には、ＩＦＰパケットのビット送出／解析順序として、ＭＳＢ First（上位ビットから送出／解析）、Ｔ．３０コマンド／画情報のビット送出／解析順序として、ＬＳＢ First（下位ビットから送出／解析）、Ｃ社（自社コード９３）には、ＩＦＰパケットのビット送出／解析順序として、ＬＳＢ First（下位ビットから送出／解析）、Ｔ．３０コマンド／画情報のビット送出／解析順序として、ＬＳＢ First（下位ビットから送出／解析）、Ｄ社（自社コード９４）には、ＩＦＰパケットのビット送出／解析順序として、ＭＳＢ First（上位ビットから送出／解析）、Ｔ．３０コマンド／画情報のビット送出／解析順序として、ＭＳＢ First（上位ビットから送出／解析）が設定されている。
【００７０】
また、メーカが不定／未知である場合には、ＩＦＰパケットのビット送出／解析順序として、ＭＳＢ First（上位ビットから送出／解析）、Ｔ．３０コマンド／画情報のビット送出／解析順序として、ＭＳＢ First（上位ビットから送出／解析）が設定されている。
【００７１】
ここで、例えば、「２００  ＯＫ」の「T.38 VendorInfo」に、記述された自社コートがＡ社を示す「９１」であると、ステップ４０４では、メーカ別装置設定情報４２０を参照して、ＩＦＰパケットのビット送出／解析順序として、ＭＳＢ First（上位ビットから送出／解析）、Ｔ．３０コマンド／画情報のビット送出／解析順序として、ＭＳＢ First（上位ビットから送出／解析）と決定する。
【００７２】
また、着信側装置では、「２００  ＯＫ」を送信すると、次に、Ｔ．３８に準拠した画像通信が可能かを判断する（ステップ４１３）。ここで、発信側装置との間との間で、Ｔ．３８に準拠した画像通信が可能であると判断されると（ステップ４１３でＹＥＳ）、メーカ別装置設定情報４２０を参照して、ビット送出／解析順序を決定する（ステップ４１４）。
【００７３】
ここでは、「ＩＮＶＩＴＥ」の「T.38 VendorInfo」に記述された自社コートがＢ社を示す「９２」であると、ステップ４１４では、メーカ別装置設定情報４２０を参照して、ＩＦＰパケットのビット送出／解析順序として、ＭＳＢ First（上位ビットから送出／解析）、Ｔ．３０コマンド／画情報のビット送出／解析順序として、ＬＳＢ First（下位ビットから送出／解析）と決定する。
【００７４】
これにより、発信側装置と着信側装置では、全ての階層に対してビット送出順序と解析順序が一致するようになる。
【００７５】
その後、発信側装置は、Ｔ．３８ポートにて着信側装置とＴ．３８に準じたＦＡＸ通信を実施する（ステップ４０５）。
【００７６】
同様に、着信側装置でも、Ｔ．３８ポートにて発信側装置とＴ．３８に準じたＦＡＸ通信を実施する（ステップ４１５）。
【００７７】
そして、ＦＡＸ通信の終了等により発信側装置で呼切断する場合は、発信側装置から着信側装置にＢＹＥ（セッション切断要求）を送信し、ＳＩＰ呼切断を行って（ステップ４０６）、この処理を終了する。
【００７８】
また、着信側装置は、発信側装置からＢＹＥ（セッション切断要求）を受信するとＳＩＰ呼切断を行って（ステップ４１６）、この処理を終了する。
【００７９】
なお、ステップ４０３でＴ．３８に準拠した画像通信が不可であると判断された場合は（ステップ４０３でＮＯ）、ステップ４０６に進み、ＳＩＰ呼切断を行う。また、ステップ４１３でＴ．３８に準拠した画像通信が不可であると判断された場合は（ステップ４１３でＮＯ）、ステップ４１６に進み、ＳＩＰ呼切断を行う。
【実施例３】
【００８０】
図５は、本発明の実施例３に係わる画像通信制御（ＦＡＸ通信制御）を説明するフローチャートである。
【００８１】
この実施例３に係わる画像通信制御においては、呼接続に用いる短縮番号（短縮ダイヤル）に対応して、ＩＦＰパケットおよびＴ．３０コマンド／画情報のそれぞれのビット送出／解析順序を短縮番号別装置設定情報５２０として予め記憶しておき、この短縮番号別装置設定情報５２０を参照して発信側装置と着信側装置でＩＦＰパケットおよびＴ．３０コマンド／画情報の送出／解析順序が一致するようにそれぞれ制御する。
【００８２】
図５に示す実施例３においては、短縮番号別装置設定情報５２０に、短縮番号「００１」に対応して、ＩＦＰパケットのビット送出／解析順序は、ＭＳＢ First（上位ビットから送出／解析）、Ｔ．３０コマンド／画情報のビット送出／解析順序は、ＭＳＢ First（上位ビットから送出／解析）が設定されており、同様に、短縮番号「００２」に対応して、ＩＦＰパケットのビット送出／解析順序は、ＭＳＢ First（上位ビットから送出／解析）、Ｔ．３０コマンド／画情報のビット送出／解析順序は、ＬＳＢ First（下位ビットから送出／解析）、短縮番号「００３」に対応して、ＩＦＰパケットのビット送出／解析順序は、ＬＳＢ First（下位ビットから送出／解析）、Ｔ．３０コマンド／画情報のビット送出／解析順序は、ＬＳＢ First（下位ビットから送出／解析）、短縮番号「００４」に対応して、ＩＦＰパケットのビット送出／解析順序は、ＭＳＢ First（上位ビットから送出／解析）、Ｔ．３０コマンド／画情報のビット送出／解析順序は、ＭＳＢ First（上位ビットから送出／解析）、短縮番号「００５」に対応して、ＩＦＰパケットのビット送出／解析順序は、ＭＳＢ First（上位ビットから送出／解析）、Ｔ．３０コマンド／画情報のビット送出／解析順序は、ＭＳＢ First（上位ビットから送出／解析）が設定されている。
【００８３】
すなわち、短縮番号別装置設定情報５２０には、短縮番号に対応して、相手先の装置のＩＦＰパケットおよびＴ．３０コマンド／画情報のビット送出／解析順序が予め設定されている。
【００８４】
図５において、発信側装置は、短縮番号を用いた発信に際して、短縮番号別装置設定情報５２０を参照して、着信側と全ての階層に対してビット送出順序と解析順序が一致するようにビット送出／解析順序を決定する（ステップ５０１）。
【００８５】
続いて、発信装置は、招待ＳＩＰメッセージ「ＩＮＶＩＴＥ」を着信側装置に送出する（ステップ５０２）。
【００８６】
着信側装置は、発信側装置から「ＩＮＶＩＴＥ」を受信すると（ステップ５１１）、「ＩＮＶＩＴＥ」に対する応答ＳＩＰメッセージ「２００  ＯＫ」を発信側装置に送信する（ステップ５１２）。
【００８７】
発信側装置は、着信側装置から「２００  ＯＫ」を受信すると、着信側装置との間の呼接続を行う（ステップ５０３）。
【００８８】
発信側装置では、次に、Ｔ．３８に準拠した画像通信が可能かを判断する（ステップ５０４）。ここで、着信側装置との間との間で、Ｔ．３８に準拠した画像通信が可能であると判断されると（ステップ５０４でＹＥＳ）、発信側装置は、Ｔ．３８ポートにて着信側装置とＴ．３８に準じたＦＡＸ通信を実施する（ステップ５０５）。
【００８９】
また、着信側装置では、「２００  ＯＫ」を送信すると、次に、Ｔ．３８に準拠した画像通信が可能かを判断する（ステップ５１３）。ここで、発信側装置との間との間で、Ｔ．３８に準拠した画像通信が可能であると判断されると（ステップ５１３でＹＥＳ）、着信側装置でも、Ｔ．３８ポートにて発信側装置とＴ．３８に準じたＦＡＸ通信を実施する（ステップ５１４）。
【００９０】
発信側装置と着信側装置との間のＴ．３８に準じたＦＡＸ通信は、まず、着信側装置から発信側装置にＣＥＤ信号を送信し、続いて、着信側装置から発信側装置にＮＳＦ/ＣＳＩ/ＤＩＳ信号を送信し、次に、発信側装置から着信側装置にＴＳＩ/ＤＣＳ信号を送信し、着信側装置から発信側装置にＣＦＲ信号を送信し、その後、発信側装置から着信側装置に画情報を送信し、続いて、発信側装置から着信側装置にＰＰＳ.ＥＯＰ信号を送信し、着信側装置から発信側装置にＭＣＦ信号を送信し、発信側装置から着信側装置にＤＣＮ信号を送信することにより行われる。
【００９１】
そして、ＦＡＸ通信の終了等により発信側装置で呼切断する場合は、発信側装置から着信側装置にＢＹＥ（セッション切断要求）を送信し、ＳＩＰ呼切断を行って（ステップ５０６）、この処理を終了する。
【００９２】
また、着信側装置は、発信側装置からＢＹＥ（セッション切断要求）を受信すると、ＳＩＰ呼切断を行って（ステップ５１５）、この処理を終了する。
【００９３】
なお、ステップ５０４でＴ．３８に準拠した画像通信が不可であると判断された場合は（ステップ５０４でＮＯ）、ステップ５０６に進み、ＳＩＰ呼切断を行う。また、ステップ４１３でＴ．３８に準拠した画像通信が不可であると判断された場合は（ステップ５１３でＮＯ）、ステップ５１５に進み、ＳＩＰ呼切断を行う。
【実施例４】
【００９４】
図６は、本発明の実施例４に係わる画像通信制御（ＦＡＸ通信制御）を説明するフローチャートである。
【００９５】
この実施例４に係わる画像通信制御においては、発呼側装置に対応して、ＩＦＰパケットおよびＴ．３０コマンド／画情報のビット送出順序およびビット解析順序を別々に設定した発信側装置設定情報６２０と、着呼側装置に対応して、ＩＦＰパケットおよびＴ．３０コマンド／画情報のビット送出順序およびビット解析順序を別々に設定した着信側装置設定情報６３０とを設け、発信側装置は、発信側装置設定情報６２０を参照してＩＦＰパケットおよびＴ．３０コマンド／画情報の送出順序および解析順序をそれぞれ制御し、着信側装置は、着信側装置設定情報６３０を参照してＩＦＰパケットおよびＴ．３０コマンド／画情報の送出順序および解析順序をそれぞれ制御することにより、発信側装置と着信側装置でＩＦＰパケットおよびＴ．３０コマンド／画情報の送出／解析順序が一致するようにしたものである。
【００９６】
図６に示す実施例４においては、呼接続に際して、発信側装置から招待ＳＩＰメッセージ「ＩＮＶＩＴＥ」を着信側装置に送出する（ステップ６０１）。
【００９７】
着信側装置は、発信側装置から「ＩＮＶＩＴＥ」を受信すると（ステップ６１１）、発信側装置に対して「ＩＮＶＩＴＥ」に対する応答ＳＩＰメッセージ「２００  ＯＫ」を送信する（ステップ６１２）。
【００９８】
発信側装置は、着信側装置から「２００  ＯＫ」を受信すると、着信側装置との間の呼接続を行い（ステップ６０２）、次に、Ｔ．３８に準拠した画像通信が可能かを判断する（ステップ６０３）。ここで、着信側装置との間との間で、Ｔ．３８に準拠した画像通信が可能であると判断されると（ステップ６０３でＹＥＳ）、発信側装置設定情報６２０を参照して、ビット送出／解析順序を決定する（ステップ６０４）。
【００９９】
このとき、発信側装置設定情報６２０には、ＩＦＰパケットおよびＴ．３０コマンド／画情報に対応してビット送出順序およびビット解析順序が別々に設定されているので、ＩＦＰパケットおよびＴ．３０コマンド／画情報に対応して、ビット送出順序およびビット解析順序をそれぞれ別々に決定する。
【０１００】
すなわち、図６に示した構成においては、発信側装置設定情報６２０として、ＩＦＰパケットは、ビット送出順序がＭＳＢ First（上位ビットから送出）、ビット解析順序がＭＳＢ First（上位ビットから解析）に設定されており、Ｔ．３０コマンド／画情報は、ビット送出順序がＬＳＢ First（下位ビットから送出）、ビット解析順序がＭＳＢ First（上位ビットから解析）に設定されているので、ステップ６０４では、ＩＦＰパケットについては、上位ビットから送出し、上位ビットから解析すると決定し、Ｔ．３０コマンド／画情報については、下位ビットから送出し、上位ビットから解析すると決定する。
【０１０１】
また、着信側装置では、「２００  ＯＫ」を送信すると、次に、Ｔ．３８に準拠した画像通信が可能かを判断する（ステップ６１３）。ここで、発信側装置との間との間で、Ｔ．３８に準拠した画像通信が可能であると判断されると（ステップ６１３でＹＥＳ）、着信側装置設定情報６３０を参照して、ビット送出／解析順序を決定する（ステップ６１４）。
【０１０２】
ここでも、着信側装置設定情報６３０には、ＩＦＰパケットおよびＴ．３０コマンド／画情報に対応してビット送出順序およびビット解析順序が別々に設定されているので、ＩＦＰパケットおよびＴ．３０コマンド／画情報に対応して、ビット送出順序およびビット解析順序をそれぞれ別々に決定する。
【０１０３】
すなわち、図６に示した構成においては、着信側装置設定情報６３０として、ＩＦＰパケットは、ビット送出順序がＭＳＢ First（上位ビットから送出）、ビット解析順序がＭＳＢ First（上位ビットから解析）に設定されており、Ｔ．３０コマンド／画情報は、ビット送出順序がＭＳＢ First（上位ビットから解析）、ビット解析順序がＬＳＢ First（下位ビットから送出）に設定されているので、ステップ６１４では、ＩＦＰパケットについては、上位ビットから送出し、上位ビットから解析すると決定し、Ｔ．３０コマンド／画情報については、上位ビットから送出し、下位ビットから解析すると決定する。
【０１０４】
これにより、発信側装置と着信側装置では、全ての階層に対してビット送出順序と解析順序が一致するようになる。
【０１０５】
その後、発信側装置は、Ｔ．３８ポートにて着信側装置とＴ．３８に準じたＦＡＸ通信を実施する（ステップ６０５）。
【０１０６】
同様に、着信側装置でも、Ｔ．３８ポートにて発信側装置とＴ．３８に準じたＦＡＸ通信を実施する（ステップ６１５）。
【０１０７】
発信側装置と着信側装置との間のＴ．３８に準じたＦＡＸ通信は、まず、着信側装置から発信側装置にＣＥＤ信号を送信し、続いて、着信側装置から発信側装置にＮＳＦ/ＣＳＩ/ＤＩＳ信号を送信し、次に、発信側装置から着信側装置にＴＳＩ/ＤＣＳ信号を送信し、着信側装置から発信側装置にＣＦＲ信号を送信し、その後、発信側装置から着信側装置に画情報を送信し、続いて、発信側装置から着信側装置にＰＰＳ.ＥＯＰ信号を送信し、着信側装置から発信側装置にＭＣＦ信号を送信し、発信側装置から着信側装置にＤＣＮ信号を送信することにより行われる。
【０１０８】
ここで、発信側装置においては、ＴＳＩ/ＤＣＳ信号、画情報、ＰＰＳ.ＥＯＰ信号、ＤＣＮ信号は、ＩＦＰパケットの階層では、上位ビットから送出し、Ｔ．３０コマンド（画情報）の階層では、下位ビットから送出する。
【０１０９】
また、着信側装置から受信したＣＥＤ信号、ＮＳＦ/ＣＳＩ/ＤＩＳ信号、ＣＲＦ信号、ＭＣＦ信号は、ＩＦＰパケットの階層では、上位ビットから解析し、Ｔ．３０コマンドの階層も上位ビットから解析する。
【０１１０】
着信側装置においては、ＣＥＤ信号、ＮＳＦ/ＣＳＩ/ＤＩＳ信号、ＣＲＦ信号、ＭＣＦ信号は、ＩＦＰパケットの階層では、上位ビットから送出し、Ｔ．３０コマンドの階層も上位ビットから送出する。
【０１１１】
また、発信側装置から受信したＴＳＩ/ＤＣＳ信号、画情報、ＰＰＳ.ＥＯＰ信号、ＤＣＮ信号は、ＩＦＰパケットの階層では、上位ビットから解析し、Ｔ．３０コマンド（画情報）の階層では下位ビットから解析する。
【０１１２】
そして、ＦＡＸ通信の終了等により発信側装置で呼切断する場合は、発信側装置から着信側装置にＢＹＥ（セッション切断要求）を送信し、ＳＩＰ呼切断を行って（ステップ６０６）、この処理を終了する。
【０１１３】
また、着信側装置は、発信側装置からＢＹＥ（セッション切断要求）を受信すると、ＳＩＰ呼切断を行って（ステップ６１６）、この処理を終了する。
【０１１４】
なお、ステップ６０３でＴ．３８に準拠した画像通信が不可であると判断された場合は（ステップ６０３でＮＯ）、ステップ６０６に進み、ＳＩＰ呼切断を行う。また、ステップ６１３でＴ．３８に準拠した画像通信が不可であると判断された場合は（ステップ６１３でＮＯ）、ステップ６１６に進み、ＳＩＰ呼切断を行う。
【実施例５】
【０１１５】
図７は、本発明の実施例５に係わる画像通信制御（ＦＡＸ通信制御）を説明するフローチャートである。
【０１１６】
この実施例５に係わる画像通信制御においては、発呼側装置に対応して、ＩＦＰパケットおよびＴ．３０コマンド／画情報の発信時のビット送出順序およびビット解析順序を設定した発信側装置設定情報７２０と、着呼側装置に対応して、ＩＦＰパケットおよびＴ．３０コマンド／画情報のビット送出順序およびビット解析順序を別々に設定した着信側装置設定情報７３０とを設け、発信側装置は、発信側装置設定情報７２０を参照してＩＦＰパケットおよびＴ．３０コマンド／画情報の送出および解析順序をそれぞれ制御し、着信側装置は、着信側装置設定情報７３０を参照してＩＦＰパケットおよびＴ．３０コマンド／画情報の送出順序および解析順序をそれぞれ別々に制御することにより、発信側装置と着信側装置でＩＦＰパケットおよびＴ．３０コマンド／画情報の送出／解析順序が一致するようにしたものである。
【０１１７】
図７に示す実施例５においては、呼接続に際して、発信側装置から招待ＳＩＰメッセージ「ＩＮＶＩＴＥ」を着信側装置に送出する（ステップ７０１）。
【０１１８】
着信側装置は、発信側装置から「ＩＮＶＩＴＥ」を受信すると（ステップ７１１）、発信側装置に対して「ＩＮＶＩＴＥ」に対する応答ＳＩＰメッセージ「２００  ＯＫ」を送信する（ステップ７１２）。
【０１１９】
発信側装置は、着信側装置から「２００  ＯＫ」を受信すると、着信側装置との間の呼接続を行い（ステップ７０２）、次に、Ｔ．３８に準拠した画像通信が可能かを判断する（ステップ７０３）。ここで、着信側装置との間との間で、Ｔ．３８に準拠した画像通信が可能であると判断されると（ステップ７０３でＹＥＳ）、発信側装置設定情報７２０を参照して、ビット送出／解析順序を決定する（ステップ７０４）。
【０１２０】
このとき、発信側装置設定情報７２０には、ＩＦＰパケットおよびＴ．３０コマンド／画情報に対応して発信時のビット送出順序およびビット解析順序が設定されているので、これに応じて、ＩＦＰパケットおよびＴ．３０コマンド／画情報のビット送出順序およびビット解析順序を決定する。
【０１２１】
すなわち、図７に示した構成においては、発信側装置設定情報７２０として、発信時のＩＦＰパケットは、ビット送出／解析順序がＭＳＢ First（上位ビットから送出／解析）、発信時のＴ．３０コマンド／画情報は、ビット送出／解析順序がＬＳＢ First（下位ビットから送出／解析）に設定されているので、ステップ７０４では、ＩＦＰパケットについては、上位ビットから送出／解析すると決定し、Ｔ．３０コマンド／画情報については、下位ビットから送出／解析すると決定する。
【０１２２】
なお、図７に示した構成においては、発信側装置設定情報７２０に装置デフォルトとして、ＩＦＰパケットは、ビット送出／解析順序がＭＳＢ First（上位ビットから送出／解析）、Ｔ．３０コマンド／画情報は、ビット送出／解析順序がＭＳＢ First（上位ビットから送出／解析）と設定されているが、この設定は、発信側装置が受信時に用いる設定である。
【０１２３】
また、着信側装置では、「２００  ＯＫ」を送信すると、次に、Ｔ．３８に準拠した画像通信が可能かを判断する（ステップ７１３）。ここで、発信側装置との間との間で、Ｔ．３８に準拠した画像通信が可能であると判断されると（ステップ７１３でＹＥＳ）、着信側装置設定情報７３０を参照して、ビット送出／解析順序を決定する（ステップ７１４）。
【０１２４】
ここで、着信側装置設定情報７３０には、ＩＦＰパケットおよびＴ．３０コマンド／画情報に対応してビット送出順序およびビット解析順序が別々に設定されているので、ＩＦＰパケットおよびＴ．３０コマンド／画情報に対応して、ビット送出順序およびビット解析順序をそれぞれ別々に決定する。
【０１２５】
すなわち、図７に示した構成においては、着信側装置設定情報７６３０として、ＩＦＰパケットは、ビット送出順序がＭＳＢ First（上位ビットから送出）、ビット解析順序がＭＳＢ First（上位ビットから解析）に設定されており、Ｔ．３０コマンド／画情報は、ビット送出順序がＭＳＢ First（上位ビットから解析）、ビット解析順序がＬＳＢ First（下位ビットから送出）に設定されているので、ステップ７１４では、ＩＦＰパケットについては、上位ビットから送出し、上位ビットから解析すると決定し、Ｔ．３０コマンド／画情報については、上位ビットから送出し、下位ビットから解析すると決定する。
【０１２６】
これにより、発信側装置と着信側装置では、全ての階層に対してビット送出順序と解析順序が一致するようになる。
【０１２７】
その後、発信側装置は、Ｔ．３８ポートにて着信側装置とＴ．３８に準じたＦＡＸ通信を実施する（ステップ７０５）。
【０１２８】
同様に、着信側装置でも、Ｔ．３８ポートにて発信側装置とＴ．３８に準じたＦＡＸ通信を実施する（ステップ７１５）。
【０１２９】
発信側装置と着信側装置との間のＴ．３８に準じたＦＡＸ通信は、まず、着信側装置から発信側装置にＣＥＤ信号を送信し、続いて、着信側装置から発信側装置にＮＳＦ/ＣＳＩ/ＤＩＳ信号を送信し、次に、発信側装置から着信側装置にＴＳＩ/ＤＣＳ信号を送信し、着信側装置から発信側装置にＣＦＲ信号を送信し、その後、発信側装置から着信側装置に画情報を送信し、続いて、発信側装置から着信側装置にＰＰＳ.ＥＯＰ信号を送信し、着信側装置から発信側装置にＭＣＦ信号を送信し、発信側装置から着信側装置にＤＣＮ信号を送信することにより行われる。
【０１３０】
ここで、発信側装置においては、ＴＳＩ/ＤＣＳ信号、画情報、ＰＰＳ.ＥＯＰ信号、ＤＣＮ信号は、ＩＦＰパケットの階層では、上位ビットから送出し、Ｔ．３０コマンド（画情報）の階層では、下位ビットから送出する。
【０１３１】
また、着信側装置から受信したＣＥＤ信号、ＮＳＦ/ＣＳＩ/ＤＩＳ信号、ＣＲＦ信号、ＭＣＦ信号は、ＩＦＰパケットの階層では、上位ビットから解析し、Ｔ．３０コマンドの階層も上位ビットから解析する。
【０１３２】
着信側装置においては、ＣＥＤ信号、ＮＳＦ/ＣＳＩ/ＤＩＳ信号、ＣＲＦ信号、ＭＣＦ信号は、ＩＦＰパケットの階層では、上位ビットから送出し、Ｔ．３０コマンドの階層も上位ビットから送出する。
【０１３３】
また、発信側装置から受信したＴＳＩ/ＤＣＳ信号、画情報、ＰＰＳ.ＥＯＰ信号、ＤＣＮ信号は、ＩＦＰパケットの階層では、上位ビットから解析し、Ｔ．３０コマンド（画情報）の階層では下位ビットから解析する。
【０１３４】
そして、ＦＡＸ通信の終了等により発信側装置で呼切断する場合は、発信側装置から着信側装置にＢＹＥ（セッション切断要求）を送信し、ＳＩＰ呼切断を行って（ステップ７０６）、この処理を終了する。
【０１３５】
また、着信側装置は、発信側装置からＢＹＥ（セッション切断要求）を受信すると、ＳＩＰ呼切断を行って（ステップ７１６）、この処理を終了する。
【０１３６】
なお、ステップ７０３でＴ．３８に準拠した画像通信が不可であると判断された場合は（ステップ７０３でＮＯ）、ステップ７０６に進み、ＳＩＰ呼切断を行う。また、ステップ７１３でＴ．３８に準拠した画像通信が不可であると判断された場合は（ステップ７１３でＮＯ）、ステップ７１６に進み、ＳＩＰ呼切断を行う。
【実施例６】
【０１３７】
図８は、本発明の実施例６に係わる画像通信制御（ＦＡＸ通信制御）を説明するフローチャートである。
【０１３８】
この実施例６に係わる画像通信制御においては、図４に示した実施例２と同様に、呼接続に用いるＳＩＰメッセージに発信側装置および着信側装置のそれぞれの製造元情報を設定するとともに、製造元情報に対応して、ＩＦＰパケットおよびＴ．３０コマンド／画情報のそれぞれのビット送出／解析順序をメーカ別装置設定情報４２０として予め設定し、発信時には、ビット送出順序の反転ありのメーカに対しては、Ｔ．３０コマンド／画情報を自機の送出／解析順序を反転させた順序でパケットの送出/解析を行うが、着信時は自機のビット送出／解析順序のままＴ．３０コマンド／画情報の送出／解析を行う。
【０１３９】
なお、ＳＩＰメッセージに対する製造元情報の設定は、ＳＩＰメッセージのＳＤＰ(Session Description Protocol)若しくはT.38 VendorInfoに、製造元情報を記述することにより行われる。
【０１４０】
図８に示す実施例６においては、呼接続に際して、発信装置は、招待ＳＩＰメッセージ「ＩＮＶＩＴＥ」を送出する（ステップ８０１）。このとき、「ＩＮＶＩＴＥ」の「T.38 VendorInfo」に、自社（発信側装置）の製造元情報（自社コード）を記述する。
【０１４１】
着信側装置は、発信側装置から「ＩＮＶＩＴＥ」を受信すると（ステップ８１１）、「ＩＮＶＩＴＥ」の「T.38 VendorInfo」を解析して、「T.38 VendorInfo」に記述された自社コードから発信側装置のメーカ（相手メーカ）を特定する。
【０１４２】
そして、着信側装置は、発信側装置に対して「ＩＮＶＩＴＥ」に対する応答ＳＩＰメッセージ「２００  ＯＫ」を送信する（ステップ８１２）。このとき、「２００  ＯＫ」の「T.38 VendorInfo」に、自社（着信側装置）の製造元情報（自社コード）を記述する。
【０１４３】
発信側装置は、着信側装置から「２００  ＯＫ」を受信すると、着信側装置との間の呼接続を行う（ステップ４０２）。このとき、発信側装置は、「２００  ＯＫ」の「T.38 VendorInfo」を解析して、「T.38 VendorInfo」に記述された自社コードから着信側装置のメーカ（相手メーカ）を特定する。
【０１４４】
発信側装置では、次に、Ｔ．３８に準拠した画像通信が可能かを判断する（ステップ８０３）。ここで、着信側装置との間との間で、Ｔ．３８に準拠した画像通信が可能であると判断されると（ステップ８０３でＹＥＳ）、発信時は、ステップ８０２で特定した着信側装置のメーカに基づきメーカ別装置設定情報８２０を参照して、ビット送出／解析順序を決定する（ステップ８０４）。
【０１４５】
なお、図８に示した構成においては、メーカ別装置設定情報４２０として、Ａ社（自社コード９１）には、ＩＦＰパケットのビット送出／解析順序として、ＭＳＢ First（上位ビットから送出／解析）、Ｔ．３０コマンド／画情報のビット送出／解析順序として、ＭＳＢ First（上位ビットから送出／解析）が設定されており、同様に、Ｂ社（自社コード９２）には、ＩＦＰパケットのビット送出／解析順序として、ＭＳＢ First（上位ビットから送出／解析）、Ｔ．３０コマンド／画情報のビット送出／解析順序として、ＬＳＢ First（下位ビットから送出／解析）、Ｃ社（自社コード９３）には、ＩＦＰパケットのビット送出／解析順序として、ＬＳＢ First（下位ビットから送出／解析）、Ｔ．３０コマンド／画情報のビット送出／解析順序として、ＬＳＢ First（下位ビットから送出／解析）、Ｄ社（自社コード９４）には、ＩＦＰパケットのビット送出／解析順序として、ＭＳＢ First（上位ビットから送出／解析）、Ｔ．３０コマンド／画情報のビット送出／解析順序として、ＭＳＢ First（上位ビットから送出／解析）が設定されている。
【０１４６】
また、メーカが不定／未知である場合には、ＩＦＰパケットのビット送出／解析順序として、ＭＳＢ First（上位ビットから送出／解析）、Ｔ．３０コマンド／画情報のビット送出／解析順序として、ＭＳＢ First（上位ビットから送出／解析）が設定されている。
【０１４７】
ここで、例えば、「２００  ＯＫ」の「T.38 VendorInfo」に、記述された自社コートがＡ社を示す「９１」であると、ステップ８０４では、メーカ別装置設定情報４２０を参照して、発信時のＩＦＰパケットのビット送出／解析順序として、ＭＳＢ First（上位ビットから送出／解析）、Ｔ．３０コマンド／画情報のビット送出／解析順序として、ＭＳＢ First（上位ビットから送出／解析）と決定する。
【０１４８】
また、着信側装置では、「２００  ＯＫ」を送信すると、次に、Ｔ．３８に準拠した画像通信が可能かを判断する（ステップ８１３）。ここで、発信側装置との間との間で、Ｔ．３８に準拠した画像通信が可能であると判断されると（ステップ８１３でＹＥＳ）、装置設定情報８３０を参照して、着信時のビット送出／解析順序を決定する（ステップ８１４）。
【０１４９】
ここでは、装置設定情報８３０に、ＩＦＰパケットのビット送出／解析順序として、ＭＳＢ First（上位ビットから送出／解析）、Ｔ．３０コマンド／画情報のビット送出／解析順序として、ＬＳＢ First（下位ビットから送出／解析）が設定されているので、着信時のビット送出／解析順序として、ＩＦＰパケットは、ＭＳＢ First（上位ビットから送出／解析）、Ｔ．３０コマンド／画情報は、ＬＳＢ First（下位ビットから送出／解析）と決定する。
【０１５０】
これにより、発信側装置と着信側装置では、全ての階層に対してビット送出順序と解析順序が一致するようになる。
【０１５１】
その後、発信側装置は、Ｔ．３８ポートにて着信側装置とＴ．３８に準じたＦＡＸ通信を実施する（ステップ８０５）。
【０１５２】
同様に、着信側装置でも、Ｔ．３８ポートにて発信側装置とＴ．３８に準じたＦＡＸ通信を実施する（ステップ８１５）。
【０１５３】
そして、ＦＡＸ通信の終了等により発信側装置で呼切断する場合は、発信側装置から着信側装置にＢＹＥ（セッション切断要求）を送信し、ＳＩＰ呼切断を行って（ステップ８０６）、この処理を終了する。
【０１５４】
また、着信側装置は、発信側装置からＢＹＥ（セッション切断要求）を受信すると、ＳＩＰ呼切断を行って（ステップ８１６）、この処理を終了する。
【０１５５】
なお、ステップ８０３でＴ．３８に準拠した画像通信が不可であると判断された場合は（ステップ８０３でＮＯ）、ステップ８０６に進み、ＳＩＰ呼切断を行う。また、ステップ８１３でＴ．３８に準拠した画像通信が不可であると判断された場合は（ステップ８１３でＮＯ）、ステップ８１６に進み、ＳＩＰ呼切断を行う。
【実施例７】
【０１５６】
図９は、本発明の実施例７に係わる画像通信制御（ＦＡＸ通信制御）を説明するフローチャートである。
【０１５７】
この実施例７に係わる画像通信制御においては、相手機からＴ.３８通信機能による呼接続応答信号（ＣＥＤ）を受信した後、発信側で、相手機からＩＦＰパケットに含まれるＴ.３０コマンドが一定時間受信できない場合は、相手機に再発信し、Ｔ.３０コマンドおよび画情報のビット送出および解析順序を反転してＴ.３０コマンドおよび画情報の送出および解析を行うように構成される。
【０１５８】
図９において、発信側装置は、呼接続に際して、招待ＳＩＰメッセージ「ＩＮＶＩＴＥ」を相手機に送出する（ステップ９０１）。
【０１５９】
そして、「ＩＮＶＩＴＥ」に対する応答ＳＩＰメッセージ「２００  ＯＫ」を相手機から受信すると、相手機との間の呼接続を行い（ステップ９０２）、次に、Ｔ．３８に準拠した画像通信が可能かを判断する（ステップ９０３）。ここで、相手機との間との間で、Ｔ．３８に準拠した画像通信が可能であると判断されると（ステップ９０３でＹＥＳ）、予め設定された装置設定情報（例えば、図３に示す装置設定情報３２０参照）を参照して、ＩＦＰパケットのビット送出／解析順序を決定する（ステップ９０４）。
【０１６０】
そして、相手機からＣＥＤを受信すると（ステップ９０５）、上記装置設定情報を参照してＴ．３０コマンド／画情報のビット送出／解析順序を決定する（ステップ９０６）。ただし、ステップ９０６において、後述するピット反転フラグがＯＮの場合は、上記装置設定情報を参照して決定されたビット送出／解析順序を反転する。
【０１６１】
ＣＥＤの受信により所定のタイマ（Ｔ１タイマ）が起動され、発信側装置は、Ｔ．３８ポートにて相手機とＴ．３８に準じたＦＡＸ通信を実施する（ステップ９０７）。
【０１６２】
このＴ．３８に準じたＦＡＸ通信においては、ステップ９０４で決定されたビット送出／解析順序で、Ｔ．３０コマンドである（ＮＳＦ）/（ＣＳＩ）/ＤＳＩ信号を含むＩＦＰパケットの送出／解析が制御されるとともに、ステップ９０６で決定されたビット送出／解析順序で、Ｔ．３０コマンド／画情報の送出／解析が制御される。
【０１６３】
このＴ．３８に準じたＦＡＸ通信においては、相手機からＴ．３０コマンドの受信を監視し（ステップ９０８）、Ｔ．３０コマンドの受信がないと（ステップ９０８でＮＯ）、上記Ｔ１タイマがタイムアウトしたかを調べる（ステップ９０９）。  
ここで、Ｔ１タイマがタイムアウトしていない場合は（ステップ９０９でＮＯ）、ステップ９０７に戻り、相手機との間のＴ．３８に準じたＦＡＸ通信を継続する。
【０１６４】
ステップ９０９で、Ｔ１タイマがタイムアウトしたと判断されると（ステップ９０９でＹＥＳ）、呼を切断する。その後、予め設定したリトライ回数に残りがあるかを調べ（ステップ９１０）、残りがある場合は（ステップ９１０でＹＥＳ）、ビット反転フラグをＯＮにし（ステップ９１１）、ステップ９０１に戻り、再呼接続を行う。
【０１６５】
この場合、ビット反転フラグがＯＮであるので、ステップ９０６でビット送出／解析順序が反転され、ステップ９０７のＦＡＸ通信においては、この反転されたビット送出／解析順序でＴ．３０コマンド／画情報の送出／解析が制御される。
【０１６６】
なお、ステップ９１２において、ビット反転フラグが既にＯＮである場合は、ビット反転フラグをＯＦＦにする。
【０１６７】
ステップ９０８でＴ．３０コマンドを受信した場合（ステップ９０８でＹＥＳ）で、相手機との間のＴ．３８に準じたＦＡＸ通信を継続する場合は（ステップ９０２でＮＯ）、ステップ９０７に戻り、相手機との間のＴ．３８に準じたＦＡＸ通信を継続する。
【０１６８】
また、ステップ９０２で、相手機との間のＴ．３８に準じたＦＡＸ通信を終了する場合は（ステップ９１２でＹＥＳ）、ＳＩＰ呼切断を行い（ステップ９１３）、この処理を終了する。
【０１６９】
また、ステップ９１０で、リトライ回数の残りがないと判断された場合は（ステップ９１０でＮＯ）、ステップ９１３に進み、ＳＩＰ呼切断を行い、この処理を終了する。
【実施例８】
【０１７０】
図１０は、本発明の実施例８に係わる画像通信制御（ＦＡＸ通信制御）を説明するフローチャートである。
【０１７１】
この実施例８に係わる画像通信制御においては、相手機から呼接続応答コマンド（ＣＥＤ）が一定時間受信できない場合は、相手機に再発信し、ＩＦＰパケットのビット送出および解析順序を反転してＴ.３０コマンドおよび画情報の送出および解析を行うように構成される。
【０１７２】
図１０において、発信側装置は、呼接続に際して、招待ＳＩＰメッセージ「ＩＮＶＩＴＥ」を相手機に送出する（ステップ１００１）。
【０１７３】
そして、「ＩＮＶＩＴＥ」に対する応答ＳＩＰメッセージ「２００  ＯＫ」を相手機から受信すると、相手機との間の呼接続を行い（ステップ１００２）、次に、Ｔ．３８に準拠した画像通信が可能かを判断する（ステップ１００３）。ここで、相手機との間との間で、Ｔ．３８に準拠した画像通信が可能であると判断されると（ステップ１００３でＹＥＳ）、予め設定された装置設定情報（例えば、図３に示す装置設定情報３２０参照）を参照して、ＩＦＰパケットのビット送出／解析順序を決定する（ステップ１００４）。ただし、ステップ１００４において、後述するピット反転フラグがＯＮの場合は、上記装置設定情報を参照して決定されたビット送出／解析順序を反転する。
【０１７４】
次に、相手機からＣＮＧ信号を受信したかを調べる（ステップ１００５）。ここで、ＣＥＤ信号を受信した場合は（ステップ１００５でＹＥＳ）、上記装置設定情報を参照してＴ．３０コマンド／画情報のビット送出／解析順序を決定し（ステップ１００６）、Ｔ．３８ポートにて相手機とＴ．３８に準じたＦＡＸ通信を実施する（ステップ１００７）。
【０１７５】
このＴ．３８に準じたＦＡＸ通信においては、ステップ１００４で決定されたビット送出／解析順序で、Ｔ．３０コマンド（ＮＳＦ）/（ＣＳＩ）/ＤＳＩ信号を含むＩＦＰパケットの送出／解析が制御されるとともに、ステップ１００６で決定されたビット送出／解析順序で、Ｔ．３０コマンド／画情報の送出／解析が制御される。
【０１７６】
また、ステップ１００５で、ＣＥＤ信号を受信していないと判断された場合は（ステップ１００５でＮＯ）、所定のタイマ（Ｔ０タイマ）を起動して、Ｔ０タイマがタイムアウトしたかを調べる（ステップ１００８）。  
Ｔ０タイマがタイムアウトしていない場合は（ステップ１００８でＮＯ）、ステップ１００５に戻り、相手機からのＣＥＤ信号の受信を待つ。
【０１７７】
ステップ１００８で、Ｔ０タイマがタイムアウトしたと判断されると（ステップ１００８でＹＥＳ）、予め設定したリトライ回数に残りがあるかを調べ（ステップ１００９）、残りがある場合は（ステップ１００９でＹＥＳ）、ビット反転フラグをＯＮにし（ステップ１０１０）、ステップ１００１に戻り、再呼接続を行う。
【０１７８】
この場合、ビット反転フラグがＯＮであるので、ステップ１００４でビット送出／解析順序が反転され、ステップ１００７のＦＡＸ通信においては、この反転されたビット送出／解析順序で、ビット送出／解析順序でＩＦＰパケットの送出／解析が制御される。
【０１７９】
なお、ステップ１０１０において、ビット反転フラグが既にＯＮである場合は、ビット反転フラグをＯＦＦにする。
【０１８０】
ステップ１０１１では、ステップ１００７のＦＡＸ通信が終了かが調べられ、ここで、ＦＡＸ通信を終了しない場合は（ステップ１０１１でＮＯ）、ステップ１００７に戻り、相手機との間のＴ．３８に準じたＦＡＸ通信を継続するが、終了する場合は（ステップ１０１１でＹＥＳ）、ＳＩＰ呼切断を行い（ステップ１０１２）、この処理を終了する。
【０１８１】
また、ステップ１００９で、リトライ回数の残りがないと判断された場合は（ステップ１００９でＮＯ）、ステップ１０１２に進み、ＳＩＰ呼切断を行い、この処理を終了する。
【実施例９】
【０１８２】
図１１は、本発明の実施例９に係わる画像通信制御（ＦＡＸ通信制御）を説明するフローチャートである。
【０１８３】
この実施例９に係わる画像通信制御においては、相手機に対してＴ.３８通信機能による呼接続応答信号（ＣＥＤ）を送信した後、着信側で、相手機からＴ.３０コマンドが一定時間受信できない場合は、呼を切断する。その後、相手機に再発信し、Ｔ.３０コマンドおよび画情報のビット送出および解析順序を反転してＴ.３０コマンドおよび画情報の送出および解析を行うように構成される。
【０１８４】
図１１において、着信側装置は、相手機から招待ＳＩＰメッセージ「ＩＮＶＩＴＥ」を受信すると（ステップ１１０１）、この「ＩＮＶＩＴＥ」に対する応答ＳＩＰメッセージ「２００  ＯＫ」を相手機に送信する（ステップ１１０２）。
【０１８５】
次に、Ｔ．３８に準拠した画像通信が可能かを判断し（ステップ１１０３）、ここで、相手機との間との間で、Ｔ．３８に準拠した画像通信が可能であると判断すると（ステップ１１０３でＹＥＳ）、予め設定された装置設定情報（例えば、図３に示す装置設定情報３２０参照）を参照して、ＩＦＰパケットのビット送出／解析順序を決定する（ステップ１１０４）。
【０１８６】
次に、上記装置設定情報を参照してＴ．３０コマンド／画情報のビット送出／解析順序を決定する（ステップ１１０５）。ただし、ステップ１１０５において、後述するピット反転フラグがＯＮの場合は、上記装置設定情報を参照して決定されたビット送出／解析順序を反転する。
【０１８７】
その後、着信側装置は、Ｔ．３８ポートにて相手機とＴ．３８に準じたＦＡＸ通信を実施する（ステップ１１０６）。
【０１８８】
このＴ．３８に準じたＦＡＸ通信においては、ステップ１１０４で決定されたビット送出順序で、ＣＥＤ信号を示すＩＦＰパケットを送信した後、Ｔ１タイマを起動して、Ｔ.３０コマンドであるＮＳＦ/ＣＳＩ/ＤＳＩ信号を含むＩＦＰパケットを送信する。このＮＳＦ/ＣＳＩ/ＤＳＩ信号の送出は、相手機からＴＳＩ信号またはＮＳＳ信号を予め設定されたタイマ時間Ｔ４経過して受信しない場合は、繰り返して送信される。
【０１８９】
また、このＴ．３８に準じたＦＡＸ通信においては、相手機からＴ．３０コマンドの受信を監視し（ステップ１１０７）、Ｔ．３０コマンドの受信がないと（ステップ１１０７でＮＯ）、上記Ｔ１タイマがタイムアウトしたかを調べる（ステップ１１０８）。  
ここで、Ｔ１タイマがタイムアウトしていない場合は（ステップ１１０８でＮＯ）、ステップ１１０６に戻り、相手機との間のＴ．３８に準じたＦＡＸ通信を継続する。
【０１９０】
ステップ１１０８で、Ｔ１タイマがタイムアウトしたと判断されると（ステップ１１０８でＹＥＳ）、呼を切断する。その後、予め設定したリトライ回数に残りがあるかを調べ（ステップ１１０９）、残りがある場合は（ステップ１１０９でＹＥＳ）、ビット反転フラグをＯＮにし（ステップ１１１０）、ステップ１１０１に戻り、相手機の再呼接続を待つ。
【０１９１】
この場合、ビット反転フラグがＯＮであるので、ステップ１１０５でビット送出／解析順序が反転され、ステップ１１０９のＦＡＸ通信においては、この反転されたビット送出／解析順序でＴ．３０コマンド／画情報の送出／解析が制御される。
【０１９２】
なお、ステップ１１１０において、ビット反転フラグが既にＯＮである場合は、ビット反転フラグをＯＦＦにする。
【０１９３】
ステップ１１０７でＴ．３０コマンドを受信し（ステップ１１０７でＹＥＳ）、相手機との間のＴ．３８に準じたＦＡＸ通信を継続する場合は（ステップ１１１１でＮＯ）、ステップ１１０６に戻り、相手機との間のＴ．３８に準じたＦＡＸ通信を継続する。
【０１９４】
また、ステップ１１１１で、相手機との間のＴ．３８に準じたＦＡＸ通信を終了する場合は（ステップ１１１１でＹＥＳ）、ＳＩＰ呼切断を行い（ステップ１１１２）、この処理を終了する。
【０１９５】
また、ステップ１１０９で、リトライ回数の残りがないと判断された場合は（ステップ１１０９でＮＯ）、ステップ１１１２に進み、ＳＩＰ呼切断を行い、この処理を終了する。
【０１９６】
以上が本発明の代表的な実施形態の一例であるが、本発明は、上記実施例及び図面に示す実施例に限定することなく、その要旨を変更しない範囲内で適宜変形して実施できるものである。
【符号の説明】
【０１９７】
１００    画像通信装置
１０１    主制御部
１０２    画像蓄積部
１０３    画像読取部
１０４    印刷部
１０５    操作部
１０６    記憶部
１０７    画像処理部
１０８    呼接続制御部
１０９    画像通信制御部
１１０    バス
１１１    パケット制御部
１１２    ＴＣＰ/ＵＤＰ/ＩＰ制御部
１１３    ネットワークインターフェイス部
【図１】
2010263320.tif 000003
【図２】
2010263320.tif 000004
【図３】
2010263320.tif 000005
【図４】
2010263320.tif 000006
【図５】
2010263320.tif 000007
【図６】
2010263320.tif 000008
【図７】
2010263320.tif 000009
【図８】
2010263320.tif 000010
【図９】
2010263320.tif 000011
【図１０】
2010263320.tif 000012
【図１１】
2010263320.tif 000013